(57)【要約】【課題】  スパナの往復回動操作構造を提供する。【解決手段】  スパナ本体１０を含む。該スパナ本体は少なくとも一端に開放式の嵌合部１１を設ける。該嵌合部はU字型を呈し、該U字型嵌合部の適当な深度位置にはナットなどの螺合部品を把持して回動操作可能なあご部１２を構成し、該あご部により挟持顎１６を具えたY字型弾力部品１４を設ける。該嵌合部の更に奥の位置には、該あご部と相互に連続し、かつ開口部の幅が該あご部よりわずかに大きい平滑部１３を形成する。該あご部より幅がわずかに大きい平滑部により、該スパナ本体は、回動操作時の力を緩めることにより弾力部品により上昇してあごの把持を脱して空転現象を生じ、逆方向への後退回動操作可能となる。【選択図】図１
2005153107.tif 000002
【特許請求の範囲】
【請求項１】
スパナ本体を含み、
該スパナ本体は少なくとも一端に開放式の嵌合部を設け、該開放式の嵌合部の適当な深さにあご部を設け、該嵌合部のさらに残る深さには該あご部と相互に連続し、かつ幅が該あご部より大きい平滑部を設けてなることを特徴とするスパナの往復回動操作構造。
【請求項２】
前記あご部の把持位置には挟持顎を具えたY字型弾力部品を設けることを特徴とする請求項１記載のスパナの往復回動操作構造。
【請求項３】
前記あご部の把持位置には棒状弾力部品を設けることを特徴とする請求項１記載のスパナの往復回動操作構造。
【請求項４】
前記あご部の把持位置には傾斜弾力片を具えた半弧状弾力部品を設けることを特徴とする請求項１記載のスパナの往復回動操作構造。
【請求項５】
前記あご部の把持位置には収容開口を具えた弾力部品を設けることを特徴とする請求項１記載のスパナの往復回動操作構造。
【請求項６】
前記Y字型弾力部品の挟持顎は湾曲角度を呈することを特徴とする請求項２記載のスパナの往復回動操作構造。
【請求項７】
前記挟持顎の湾曲角度は20〜30度であることを特徴とする請求項６記載のスパナの往復回動操作構造。
【発明の詳細な説明】
【技術分野】
【０００１】
本発明は一種のスパナの往復回動操作構造に関する。特に構造が簡易で、コストが低い逆回転復位の開放式開口スパナの構造に係る。
【背景技術】
【０００２】
公知の梅型スパナ構造は主にスパナ頭部に設置する嵌合部を利用し、ナットなどの六角形螺合部品に嵌合して、回動操作して該螺合部品を締めるものである。
しかし、一般のスパナを用い螺合部品を締めようとする時には、しばしば該開口スパナを数回往復回動操作させる必要がある。また該螺合部品を締めたり取り外したりする時には、該螺合部品の周囲に障害物があることもしばしばである。そのため、該開口スパナは障害物に接触する角度まで該螺合部品を回動した後は、該開口スパナを該螺合部品から取り外し、再び該開口スパナの嵌合部を該螺合部品の六角嵌合部に合わせ、再度該螺合部品を回動する。このように回動、取り外し、それと共に嵌合、数回回動操作の煩雑な手順を数回繰り返す必要がある。
よってこの種の公知の開口スパナ構造は、取り出し及び六角嵌合部の構造に合わせる動作を数回行う必要があるため、使用者が逆回転させ復位させる時の面倒となっている。
さらに、この種の構造は該開口スパナ嵌合部を該螺合部品の六角嵌合部に合わせる必要があるため、狭い空間で使用する場合には、空間の不足により、該開口スパナは該螺合部品に係合することができない。
上記欠点に対してラチェットスパナが考え出されたが、該ラチェットスパナの構造は部品が多いため、コストが非常に高くなってしまい、しかも組立てにも多くの時間を必要とする。
【発明の開示】
【発明が解決しようとする課題】
【０００３】
上記公知構造の欠点を解決するため、本発明はスパナの往復回動操作構造の提供を課題とする。
本発明は開放式嵌合部内縁に設置するあご部と直径が該あご部より大きい平滑部の設計を利用し、スパナ本体に簡単かつ迅速な逆回転復位機能を達成させる。これにより本発明は、公知のスパナ構造では、嵌合部内縁には螺合部品と等幅のあご部を設置するだけであるため、開口スパナの逆回転後退に時間がかかるという欠点を解決することができる。
さらに、上記により、スパナ本体は小さな角度の逆回転後退を行うことができるため、狭い空間における使用に有利で、公知の開口スパナがその都度嵌合部を取り外し、再度螺合部品に合わせる角度が大きいため、狭い空間での使用に適さないという欠点を解決可能である。
また、本発明のあご部には弾力部品を係設するため、該弾力部品の回復力によりスパナ本体は自動的に上昇し、該螺合部品は平滑部内に入り、スパナ本体の逆回転後退は一層迅速で労力を使わずに行うことができる。
本発明は開放式嵌合部内に平滑部を設置するだけで、構造が複雑でコストが高いラチェットスパナと同様の逆回転後退機能を達成することができ、非常に経済的である。
【課題を解決するための手段】
【０００４】
上記課題を解決するため、本発明は下記のスパナの往復回動操作構造を提供する。
それは主にスパナ本体を含む。
該スパナ本体は少なくとも一端に開放式の嵌合部を設ける。該嵌合部はU字型を呈し、該U字型嵌合部の適当な深度位置には螺合部品を把持して螺動可能なあご部を構成し、該あご部により挟持顎を具えたY字型弾力部品を設ける。該嵌合部の隣接位置には、該あご部と相互に連続しかつ開口部の幅が該あご部よりわずかに大きい平滑部を形成する。該あご部より幅がわずかに大きい平滑部により、Y字型弾力部品の弾発力によりあご部から外れて該平滑部に至った該スパナ本体は空転現象を生じ、逆方向への後退機能を達成する。
【発明の効果】
【０００５】
上記のように、本発明は開放式嵌合部内縁に設置するあご部と幅が該あご部より大きい平滑部の構造を利用し、スパナ本体に簡単かつ迅速な逆回転復位機能を達成させる。さらに、本発明のスパナ本体は小さな角度の逆回転後退を行うことができるため、狭い空間における使用に有利である。また、本発明のあご部には弾力部品を係設するため、該弾力部品の弾発力によりスパナ本体は自動的に上昇し、該螺合部品は平滑部内に入り、スパナ本体の逆回転後退は一層迅速で労力を使わずに行うことができる。即ち本発明は開放式嵌合部内に平滑部を設置するだけで、構造が複雑でコストが高いラチェットスパナと同様の逆回転後退機能を達成することができ、非常に経済的である。
【発明を実施するための最良の形態】
【０００６】
図１〜４が示すように、本発明はスパナ本体１０を含む。
該スパナ本体１０は少なくとも一端に開放式の嵌合部１１を設ける。該嵌合部１１はU字型を呈し、該U字型嵌合部１１の適当な嵌合深さに螺合部品を把持して螺動可能なあご部１２を構成する。該あご部１２の把持位置には弾力部品１４を設置し、該嵌合部１１の把持位置より奥の位置には、該あご部１２と相互に連続し、かつ開口部の幅が該あご部１２よりわずかに大きい平滑部１３を形成する。該あご部１２より幅がわずかに大きい平滑部１３により、該スパナ本体１０は空転現象を生じ、逆方向への後退回動機能を達成する。
該あご部１２内に設置する弾力部品１４は様々な形態の螺合部品２０に対応して使用され、挟持顎１６を具えたY字型弾力部品１４が使用される。しかも、該挟持顎１６は上向きに20〜30度の角度に折れ曲って設計されており、該湾曲状挟持顎１６により、該スパナ本体１０と該螺合部品２０の嵌合は一層容易となる。
【０００７】
該螺合部品２０を締める時には、該スパナ本体１０の嵌合部１１を利用し、該螺合部品２０上に嵌合する。この時、該螺合部品２０の螺設されるボルト２２は、該挟持顎１６間より通過(図５参照)する。使用者は続いて、下向きの力を加えると、該螺合部品２０により該弾力部品１４は上向きに収縮し(押された弾力部品の高さは該嵌合部の頂点と同じほぼ高さで、該嵌合部１１の頂端を超過しない)、同時に該螺合部品２０の六角嵌合部２１は該あご部１２内に入り、該あご部１２と嵌合関係を呈する(図６参照)。
さらに図７が示すように、該スパナ本体１０が回転し障害物と抵触し、それ以上回転することができない時、使用者は力を緩めるだけで、該弾力部品１４により回復弾力を生じ、該スパナ本体１０は上向きに上昇する。こうして、該あご部１２に嵌合していた螺合部品２０六角嵌合部２１は、幅が該螺合部品２０六角嵌合部２１より大きい平滑部１３内に落ち着く(図８参照)。こうして該スパナ本体１０は空転現象を生じ、該スパナ本体１０は迅速に逆方向への後退機能を達成しする。上記ステップを反復することにより、該螺合部品の螺合機能を達成することができる。
【０００８】
次に図９、１０が示すように、本発明の第二実施例では、第一実施例ではU字型を呈する平滑部１３を一部円形状の直径がより大きな平滑部１３１とする。該直径がより大きな平滑部１３１の設計により、該平滑部１３内に入った螺合部品２０と該スパナ本体１０の空転関係はよりスムーズとなる。
さらに図１１〜１３が示すように、本発明の第三実施例では、主に同様に湾曲した棒状弾力部品１４１を設置し、該棒状弾力部品１４１により同様に力を緩めるだけで、該スパナ本体１０は弾力により上昇する機能を達成することができる。
続いて図１４、１５が示すように、本発明の第四実施例では、該嵌合部１１のあご部１２上には収容開口１７を具える弾力部品１４を設置する。該収容開口１７を具える弾力部品１４は同様に該スパナ本体１０を弾力により上昇させる機能を達成することができる。
また図１６、１７が示すように、本発明の第五実施例では、該嵌合部１１のあご部１２上には、傾斜弾力片１４３により構成される半弧状弾力部品１４２を設置する。該半弧状弾力部品１４２によっても同様に、該スパナ本体１０を弾力により上昇させる機能を達成することができる。
【図面の簡単な説明】
【０００９】
【図１】本発明スパナの往復回動操作構造の外観指示図である。
【図２】本発明スパナの往復回動操作構造の局部外観指示図である。
【図３】本発明スパナの往復回動操作構造の平面外観指示図である。
【図４】本発明スパナの往復回動操作構造の局部断面指示図である。
【図５】本発明スパナの往復回動操作構造の往復操作図である。
【図６】本発明スパナの往復回動操作構造の回動操作図である。
【図７】本発明スパナの往復回動操作構造のあご部が把持した状態を示す操作図である。
【図８】本発明スパナの往復回動操作構造のあご部が外れた状態の操作図である。
【図９】本発明のスパナの往復回動操作構造第二実施例嵌合部の外観指示図である。
【図１０】本発明スパナの往復回動操作構造第二実施例嵌合部の局部平面指示図である。
【図１１】本発明スパナの往復回動操作構造第三実施例の外観指示図である。
【図１２】本発明スパナの往復回動操作構造第三実施例の往復操作図である。
【図１３】本発明スパナの往復回動操作構造第三実施例の駆動操作図である。
【図１４】本発明スパナの往復回動操作構造第四実施例の外観指示図である。
【図１５】本発明スパナの往復回動操作構造第四実施例の部分拡大図である。
【図１６】本発明のスパナの往復回動操作構造第四実施例嵌合部の平面指示図である。
【図１７】本発明スパナの往復回動操作構造第五実施例の外観指示図である。
【符号の説明】
【００１０】
１０  スパナ本体
１１  嵌合部
１２  あご部
１３  平滑部
１４  弾力部品
１６  挟持顎
１７  収容開口
２０  螺合部品
２１  六角嵌合部
２２  ボルト
１３１  円形平滑部
１４１  棒状弾力部品
１４２  半弧状弾力部品
１４３  傾斜弾力片
【図１】
2005153107.tif 000003
【図２】
2005153107.tif 000004
【図３】
2005153107.tif 000005
【図４】
2005153107.tif 000006
【図５】
2005153107.tif 000007
【図６】
2005153107.tif 000008
【図７】
2005153107.tif 000009
【図８】
2005153107.tif 000010
【図９】
2005153107.tif 000011
【図１０】
2005153107.tif 000012
【図１１】
2005153107.tif 000013
【図１２】
2005153107.tif 000014
【図１３】
2005153107.tif 000015
【図１４】
2005153107.tif 000016
【図１５】
2005153107.tif 000017
【図１６】
2005153107.tif 000018
【図１７】
2005153107.tif 000019